(57)【特許請求の範囲】
【請求項１】
弾球遊技機に固定されて前方に突出したベース体と、このベース体に回動操作可能で自己復帰可能なハンドルと、このハンドルの回動角度を検出する検出素子とを備えていて、前記検出素子により検出された前記ハンドルの回動角度に応じて遊技球の発射強度を変化させる弾球遊技機の発射ハンドル装置において、
前記ハンドルの回動中心線周りにおける前記ベース体および前記ハンドルの周囲全体に、前記ベース体に対して前記ハンドルを固定するための異物の差込みを防止する差込み防止壁が設けられ、
この差込み防止壁と前記ハンドルとの間隔は、前記ハンドルとの間に前記ハンドルを操作する遊技者の手指の配置が可能に設定され、かつ、異物を差し込もうとする遊技者の手や異物の動きを規制するよう設定された
ことを特徴とする弾球遊技機の発射ハンドル装置。
【請求項２】
前記ハンドルが前記ベース体の前端部を覆う前面部を有し、
前記差込み防止壁が、前記ハンドルの回動中心線に直交する方向において前記ハンドルの後端部と重なって位置したことを特徴とする請求項１に記載の弾球遊技機の発射ハンドル装置。
【請求項３】
前記ハンドルを前記ベース体の前端部との間で回動可能に挟んで位置し、前記ベース体の前端部に固定されたフェースカバーを備えていて、
前記ハンドルの回動中心線に直交する方向において前記フェースカバーよりも外側に位置する前記ハンドルの部分が、前記フェースカバーよりも後方に位置し、
前記差込み防止壁が、前記ハンドルの回動中心線に直交する方向において前記フェースカバーに重なって位置したことを特徴とする請求項１に記載の弾球遊技機の発射ハンドル装置。
【請求項４】
前記差込み防止壁の前端部が前記フェースカバーよりも前方に突出して位置し、前面視において前記ハンドルの最大径の仮想円に包含される開口を前記フェースカバーの前方に形成したことを特徴とする請求項３に記載の弾球遊技機の発射ハンドル装置。
【発明の詳細な説明】
【技術分野】
【０００１】
本発明は、ハンドルの回動角度に応じた発射強度で遊技球を遊技領域に発射する弾球遊技機の発射ハンドル装置に関するものである。
【背景技術】
【０００２】
パチンコ機に代表される弾球遊技機の発射ハンドル装置は、一般的には、弾球遊技機から前方に突出したベース体と、このベース体の前端部に固定されたフェースカバーと、これらベース体とフェースカバーとの間に配置され回動操作可能で初期位置に自己復帰可能なハンドルとを備えていて、遊技者がフェースカバーに手を載せながら、すなわち、フェースカバーによって手が支えられた状態でハンドルを所望の角度に保持できるようになっている。
【０００３】
遊技球を遊技領域に発射する発射装置は、モータやソレノイド等の電動アクチュエータで打撃槌を駆動して遊技球を打つことにより、遊技球を発射する。ハンドルの回動角度はロータリボリューム等の角度検出素子で検出され、この角度検出素子から出力された検出信号に基づいて電動アクチュエータの駆動力、すなわち発射強度が制御される。これにより、ハンドルの回動角度に応じた発射強度で遊技球が遊技領域に発射される。
【０００４】
ハンドルは樹脂成形品の表面に良導電性材料のメッキ加工を施してなる。このハンドルの表面は、タッチ回路に含まれている。タッチ回路は、ハンドルの表面に電気的に接続されたコンデンサを有し、このコンデンサにおける静電容量の変化によってハンドルへの遊技者の接触を検知したときに、発射装置に電力を供給して発射装置を発射可能状態にするものである。
【０００５】
この種の発射ハンドル装置としては例えば特許文献１で開示されたものがある。
【０００６】
また、一般的ではないが、ハンドルがベース体の前面を覆う前面部を有し、フェースカバーがないタイプ、すなわち、ハンドルの前方にハンドル操作中の遊技者の手を支える部材のないタイプの発射ハンドル装置もある（特許文献２参照）。
【特許文献１】特開２０００−１４８６８号公報
【特許文献２】特開２００２−２１００９６号公報
【発明の開示】
【発明が解決しようとする課題】
【０００７】
特許文献１に示された発射ハンドル装置では、固定側部材であるベース体と可動側部材であるハンドルとの間、および、固定側部材であるフェースカバーをハンドルとの間に隙間が形成される。遊技者の中には、それらの隙間に、多くはフェースカバーとハンドルとの間の隙間、すなわちハンドルの前側の隙間に、ハンドルを任意の角度まで回動操作した状態でメダルやコイン等の異物を差し込むことによって、ハンドルから手を離しても、ハンドルが初期位置に戻らずにその任意の角度に固定された状態にし、ハンドルに触れるだけで、発射装置に遊技球を一定の発射強度で発射させ続けるという不正行為を行う者がいる。
【０００８】
特許文献２に示された発射ハンドル装置では、フェースカバーがないので、すなわち、ハンドルの前方にハンドル操作中の遊技者の手を支える部材がないので、長時間の遊技を行ったときの遊技者の疲労が著しいという欠点がある。また、フェースカバーがないことによって、固定側部材と可動側部材との間に形成される隙間が、ベース体とハンドルとの間のみ、すなわちハンドルの後側のみになり、特許文献１に示された発射ハンドル装置よりは異物の差込みが行いにくくはなっているが、依然として前記不正行為を行うことができる。
【０００９】
本発明は、前述の実状を考慮してなされたものであり、異物によりハンドルを任意の角度に固定する行為が行いにくい弾球遊技機の発射ハンドル装置を提供することにある。
【課題を解決するための手段】
【００１０】
前述の目的を達成するために、本発明は次のように構成されている。
【００１１】
〔１〕本発明は、弾球遊技機に固定されて前方に突出したベース体と、このベース体に回動操作可能で自己復帰可能なハンドルと、このハンドルの回動角度を検出する検出素子とを備えていて、前記検出素子により検出された前記ハンドルの回動角度に応じて遊技球の発射強度を変化させる弾球遊技機の発射ハンドル装置において、前記ハンドルの回動中心線周りにおける前記ベース体および前記ハンドルの周囲全体に、前記ベース体に対して前記ハンドルを固定するための異物の差込みを防止する差込み防止壁が設けられ、この差込み防止壁と前記ハンドルとの間隔は、前記ハンドルとの間に前記ハンドルを操作する遊技者の手指の配置が可能に設定され、かつ、異物を差し込もうとする遊技者の手や異物の動きを規制するよう設定されたことを特徴とする。
【００１２】
このように構成された本発明では、遊技者が異物を差し込もうとしたとき、その遊技者の手や異物の動きを差込み防止壁が規制するので、異物によりハンドルを任意の角度に固定する行為を行いにくくすることができる。
【００１３】
〔２〕本発明は、「〔１〕」に記載の発明において、前記ハンドルが前記ベース体の前端部を覆う前面部を有し、前記差込み防止壁が、前記ハンドルの回動中心線に直交する方向において前記ハンドルの後端部と重なって位置したことを特徴とするものであってもよい。
【００１４】
このように構成された本発明では、ハンドルがベース体の前端部を覆う前面部を有するタイプの発射ハンドル装置について、異物によりハンドルを任意の角度に固定する行為を行いにくくすることができる。
【００１５】
〔３〕本発明は、「〔２〕」に記載の発明において、前記ハンドルを前記ベース体の前端部との間で回動可能に挟んで位置し、前記ベース体の前端部に固定されたフェースカバーを備えていて、前記ハンドルの回動中心線に直交する方向において前記フェースカバーよりも外側に位置する前記ハンドルの部分が、前記フェースカバーよりも後方に位置し、前記差込み防止壁が、前記ハンドルの回動中心線に直交する方向において前記フェースカバーに重なって位置したことを特徴とするものであってもよい。
【００１６】
このように構成された本発明では、フェースカバーを有するので、異物を差し込むことが可能な隙間が、ハンドルの前側に形成されている。そのハンドルの前側の隙間は、ハンドルの回動中心線に直交する方向においてフェースカバーよりも外側に位置するハンドルの部分がフェースカバーよりも後方に位置していることから、回動中心線から放射方向に開口していて、回動中心線に平行な方向に異物を差し込むことができない。さらに、ハンドルの回動中心線に直交する方向において差込み防止壁の前端部がフェースカバーに重なって位置していることから、ハンドルの前側の隙間に対して遊技者が異物を差し込もうとしたときに、その遊技者の手や異物の動きを差込防止壁が規制する。これらにより、ハンドルの前方にフェースカバーを有するタイプの発射ハンドル装置について、異物によりハンドルを任意の角度に固定する行為を行いにくくすることができる。
【００１７】
〔４〕本発明は、「〔３〕」に記載の発明において、前記差込み防止壁の前端部が前記フェースカバーよりも前方に突出して位置し、前面視において前記ハンドルの最大径の仮想円に包含される開口を前記フェースカバーの前方に形成したことを特徴とするものであってもよい。
【００１８】
このように構成された本発明では、ハンドルの前側の隙間に対して異物の差込みを行おうとする遊技者の手の動きを、「〔３〕」に記載の発明よりもさらに規制することができる。
【発明の効果】
【００１９】
本発明によれば、遊技者が異物を差し込もうとしたとき、その遊技者の手や異物の動きを差込み防止壁が規制するので、異物によりハンドルを任意の角度に固定する行為を行いにくくすることができ、ハンドルに触れるだけで、発射装置に遊技球を一定の発射強度で発射させ続けるという不正行為の抑止に貢献できる。
【発明を実施するための最良の形態】
【００２０】
［第１実施形態］
本発明の第１実施形態に係る弾球遊技機の発射ハンドル装置について図１〜３を用いて説明する。図１は本発明の第１実施形態に係る発射ハンドル装置が設けられた一体皿ユニットの前面図である。図２は図１に示した発射ハンドル装置を拡大して示す斜視部分断面図である。図３は図２に示した発射ハンドル装置の縦断面図である。
【００２１】
弾球遊技機は、図１に示す一体皿ユニット１を備えている。この一体皿ユニット１は遊技領域を形成する遊技盤（図示しない）の下方に配置されていて、弾球遊技機の下部前面を形成している。この一体皿ユニット１は、遊技領域に向けて発射される遊技球を貯留するための受け皿１ａや灰皿１ｂ等が一体化された樹脂製の部材である。
【００２２】
本実施形態に係る発射ハンドル装置は、一体皿ユニット１の左部（図１の右側）に設けられたハンドルセット２を備えている。このハンドルセット２は、図３に示すように、一体皿ユニット１に取り付けられた樹脂成形品からなるベース体３と、このベース体３の先端部に回動操作可能で自己復帰可能に設けられたハンドル４とを備えている。
【００２３】
ベース体３は、一体皿ユニット１の板部１ｃに固定された円筒状の本体３ａと、この本体３ａの先端部に形成された前面視円形の基板部３ｂと、この基板部３ｂの周縁から前方に突出する円環部３ｃとを有する。ハンドル４は、ベース体３の基板部３ｂに回動可能に取り付けられ、後方に延びて一体皿ユニット１の板部１ｃに近接した回動体４ａと、この回動体４ａの前端部に固定され、回動体４ａの前端部を覆ってハンドル４の前面部を形成する半球面状のカバー体４ｂとを有する。回動体４ａの前端部４ａ１の中央には、ハンドル４の回動軸となる軸部材５が固定されている。この軸部材５は後方に延びていて、ベース体３の基板部３ｂの中央に設けられた軸孔３ｄに挿通されている。軸孔３ｄから後方に突出した軸部材５の後端部には、軸孔３ｄからの軸部材５の抜けを防止する抜け止め部材６が取り付けられている。
【００２４】
回動体４ａの前端部４ａ１には、ハンドル４の回動中心と同心の前面視円弧状の長孔４ａ２，４ａ３が形成されている。これらの長孔４ａ２，４ａ３には、図示しないがベース体３の基板部３ｂから前方に突出する棒状の規制棒が挿通されていて、これにより、ハンドル４の回動範囲が規定されている。抜け止め部材６の外周側には、ハンドル４を前記回動範囲内の所定位置に自己復帰可能に付勢する付勢手段としてのトーションスプリング７が配置されている。
【００２５】
ベース体３の基板部３ｂには、ハンドル４の回動角度を検出する検出素子としてのロータリボリューム８が取り付けられている。このロータリボリューム８の入力軸８ａには回転不能にギア９が固定されている。軸部材５の外周面にはギア１０が形成されていて、ギア９に噛み合っている。つまり、軸部材５の回転がギア９，１０によりロータリボリューム８に伝達され、ロータリボリューム８が軸部材５の回動角度、すなわちハンドル４の回動角度に相応する角度検出信号を出力する。図示しない発射装置は、その角度検出信号に応じた発射強度で遊技球を遊技領域に発射させる。
【００２６】
カバー体４ｂおよび回動体４ａはそれぞれ、樹脂成形品の表面に良導電性材料のメッキ加工を施してなる。これらカバー体４ｂおよび回動体４ａの表面は、タッチ回路に含まれている。タッチ回路は、回動体４ａの表面に電気的に接続されたコンデンサ（図示しない）を有し、このコンデンサにおける静電容量の変化によってハンドル４への遊技者の接触を検知したときに、発射装置に電力を供給して発射装置を発射可能状態にするものである。軸部材５の前端部５ａは中空に形成されていて、その内部に前記コンデンサが収容されている。
【００２７】
ハンドル４の回動中心線Ｃ周りにおけるハンドルセット２の周囲全体には、ベース体３に対してハンドル４を固定するための異物の差込みを防止する差込み防止壁１１が設けられている。この差込み防止壁１１は、例えば一体皿ユニット１の前面から後方に延びた円筒面からなり、ハンドル４の回動中心線Ｃに直交する方向においてハンドル４の回動体４ａの後端部４ａ４と重なって位置する。ハンドルセット２の回動体４ａの外表面と差込み防止壁１１との間隔寸法Ｂは、例えば遊技球の直径（１１ｍｍ）よりも長く、１円玉の直径（２０ｍｍ）よりも短く設定されている。
【００２８】
このように構成された第１実施形態に係る発射ハンドル装置によれば、差込み防止壁１１が、ハンドル４の回動中心線Ｃに直交する方向においてハンドル４の回動体４ａの後端部４ａ４と重なって位置しているので、一体皿ユニット１の板部１ｃと回動体４ａの後端部４ａ４との間に形成されている隙間１２に、遊技者が異物を差し込もうとしたとき、その遊技者の手や異物の動きを差込み防止壁１１が規制する。これにより、異物によりハンドル４を任意の角度に固定する行為を行いにくくすることができる。
【００２９】
さらに、第１実施形態に係る発射ハンドル装置によれば、ハンドルセット２の回動体４ａの外表面と差込み防止壁１１との間隔寸法が、遊技球の直径（１１ｍｍ）よりも長く、１円玉の直径（２０ｍｍ）よりも短く設定されているので、遊技球、および、１円玉以上の直径の硬貨やメダルを、差込み防止壁１１と回動体４ａの間に挟み込ませる行為を、遊技者に行わせないようにすることができる。
【００３０】
前述の第１実施形態では、ハンドル４の前面部がカバー体４ｂで形成されている、すなわち半球面状に形成されているが、カバー体４ｂ窪みが形成されていて指が掛けやすくなったものであってもよい。
【００３１】
前述の第１実施形態では、差込み防止壁１１が形成する円筒面内にハンドルセット２全体が収容されているが、カバー体４ｂは差込み防止壁１１よりも前方に突出していてもよい。
【００３２】
［第２実施形態］
本発明の第２実施形態に係る弾球遊技機の発射ハンドル装置を図４〜６を用いて説明する。図４は本発明の第２実施形態に係る発射ハンドル装置の側面図である。図５は図４に示した発射ハンドル装置の前面図である。図６は図４に示したハンドルセットの縦断面図である。図４〜６に示すものにおいて、図２，３に示したものと同等のものに対しては、図２，３に付した符号と同じ符号を付してある。
【００３３】
第２実施形態に係る発射ハンドル装置では、第１実施形態に係る発射ハンドル装置とはベース体３の前端部との間でハンドル２１を回動可能に挟んで位置し、ベース体３の基板部３ｂに回転不能に固定されたフェースカバー２２を備えている。ハンドル２１は、その中央に、トーションスプリング７の内周側に位置する円筒部２１ａを有する。また、ハンドル２１は、回動中心線Ｃから離れる方向に突出した指掛け部２１ｂ，２１ｃ，２１ｄを有する。
【００３４】
ハンドル２１の回動中心線Ｃに直交する方向においてフェースカバー２２よりも外側に位置するハンドル２１の部分は、フェースカバー２２よりも後方に位置している。これにより、ハンドル２１の前側において、フェースカバー２２とハンドル２１との間に形成された隙間２３は、回動中心線Ｃから放射方向に開口している。
【００３５】
ハンドル２１の回動中心線Ｃ周りにおけるハンドルセット２０の周囲全体には、ベース体３に対してハンドル２１を固定するための異物の差込みを防止する差込み防止壁２５が設けられている。この差込み防止壁２５は、一体皿ユニット１とは別体で透明な樹脂製部材２４により形成され、一体皿ユニット１の板部１ｃに固定されている。この差込み防止壁２５は、ハンドル２１の回動中心線Ｃに直交する方向においてフェースカバー２２に重なり、フェースカバー２２よりも前方に突出している。前面視においてハンドル２１の最大径の仮想円Ｉに包含される円形の開口２５ａをフェースカバー２２の前方に形成している。
【００３６】
このように構成された第２実施形態に係る発射ハンドル装置では、フェースカバー２２を有するので、ハンドル２１の前側に異物を差し込むことが可能な隙間２３が形成されているが、この隙間２３は回動中心線Ｃから放射方向に開口しているので、この隙間２３に対して回動中心線Ｃに平行な方向に異物を差し込むことができない。さらに、ハンドル２１の回動中心線Ｃに直交する方向において差込み防止壁２５がフェースカバー２２に重なって位置していることから、ハンドル２１の前側の隙間２３に対して遊技者が異物を差し込もうとしたときに、その遊技者の手や異物の動きを差込み防止壁２５が規制する。したがって、異物によりハンドル２１を任意の角度に固定する行為を行いにくくすることができる。
【００３７】
さらに、第２実施形態に係る発射ハンドル装置では、差込み防止壁２５の前端部がフェースカバー２２よりも前方に突出していて、前面視においてハンドル２１の最大径の仮想円Ｉに包含される開口２５ａをフェースカバー２２の前方に形成しているので、遊技者にとって異物を摘んだ状態の手をフェースカバー２２の後端部の周囲に移動させにくく、したがって、異物によりハンドル２１を任意の角度に固定する行為を行いにくくすることができる。
【図面の簡単な説明】
【００３８】
【図１】本発明の第１実施形態に係る発射ハンドル装置が設けられた一体皿ユニットの前面図である。
【図２】図１に示した発射ハンドル装置を拡大して示す斜視部分断面図である。
【図３】図２に示した発射ハンドル装置の縦断面図である。
【図４】本発明の第２実施形態に係る発射ハンドル装置の側面図である。
【図５】図４に示した発射ハンドル装置の前面図である。
【図６】図４に示したハンドルセットの縦断面図である。
【符号の説明】
【００３９】
１  一体皿ユニット
１ｃ  板部
２  ハンドルセット
３  ベース体
３ａ  本体
３ｂ  基板部
３ｃ  円環部
３ｄ  軸孔
４  ハンドル
４ａ  回動体
４ａ１  前端部
４ａ２，４ａ３  長孔
４ａ４  後端部
４ｂ  カバー体
５  軸部材
５ａ  前端部
６  抜け止め部材
７  トーションスプリング
８  ロータリボリューム
８ａ  入力軸
９  ギア
１０  ギア
１１  差込み防止壁
１２  隙間
２０  ハンドルセット
２１  ハンドル
２１ａ  円筒部
２１ｂ，２１ｃ，２１ｄ  指掛け部
２２  フェースカバー
２３  隙間
２４  樹脂部材
２５  差込み防止壁
２５ａ  開口
【図１】
0004789890.tif 000002
【図２】
0004789890.tif 000003
【図３】
0004789890.tif 000004
【図４】
0004789890.tif 000005
【図５】
0004789890.tif 000006
【図６】
0004789890.tif 000007